(57)【特許請求の範囲】
【請求項１】
互いに面する高温熱源（ＴＨ）および低温熱源（ＴＣ）によって区切られるスペース（６）に配置可能である、感知要素と呼ばれる少なくとも１つの温度感知要素（８）であって、前記感知要素（８）が縦軸（Ｘ）に沿って延在する、少なくとも１つの温度感知要素（８）と、前記感知要素（８）に対して動くように固定され、かつ前記感知要素（８）から横方向に延在し、かつ自由端を含む少なくとも１つの懸架要素（１０、１１０）と、少なくとも１つの懸架された圧電要素（１２）であって、前記圧電要素（１２）が、前記感知要素（８）が形態を変えるとき振動させられるように、前記懸架要素（１０、１１０）に対して配置され、前記圧電要素（１２）が、前記感知要素（８）と前記高温熱源（ＴＨ）との間に画定される前記スペースの外側に及び前記感知要素（８）と前記低温熱源（ＴＣ）との間の前記スペースの外側に位置するように構成された、少なくとも１つの懸架圧電要素（１２）と、を含む、熱エネルギーを電気エネルギーに変換するためのシステムにおいて、
前記圧電要素（１２）は、前記感知要素に対して固定された部分から懸架され、かつ前記懸架要素（１０、１１０）によって振動させられる、システム。
【請求項２】
前記感知要素が、その形態の少なくとも１つにおいて前記高温熱源または前記低温熱源と接触する、請求項１に記載のシステム。
【請求項３】
前記懸架要素が、前記感知要素との一体物として作られた、請求項１に記載のシステム。
【請求項４】
前記懸架要素が、前記感知要素の前記縦軸の両側に延在する、請求項１に記載のシステム。
【請求項５】
前記圧電要素から懸架される質量を含む、請求項１に記載のシステム。
【請求項６】
前記感知要素が、バイメタルストリップである、請求項１に記載のシステム。
【請求項７】
前記感知要素が、形状記憶合金から作られた要素である、請求項１に記載のシステム。
【請求項８】
前記感知要素から横方向にそれぞれ延在する、互いに隣接して配置されるいくつかの懸架要素を含む、請求項１に記載のシステム。
【請求項９】
エネルギー回収デバイスを形成する、請求項１に記載のシステムであって、前記圧電要素が、生じる電気の貯蔵手段に電気的に接続される、システム。
【請求項１０】
振動センサを形成する、請求項１に記載のシステム。
【請求項１１】
互いに面する高温熱源および低温熱源ならびに請求項１に記載のエネルギー変換システムを含む、熱エネルギーを電気エネルギーに変換するためのアセンブリであって、前記エネルギー変換システムは、前記圧電要素が前記感知要素と前記高温熱源との間に画定される前記スペースの外側に及び前記感知要素と前記低温熱源との間の前記スペースの外側に位置するよう構成されるように、前記高温熱源と前記低温熱源との間に配置された、アセンブリ。
【請求項１２】
熱は、電子システムによって前記高温熱源に供給される、請求項１１に記載の変換アセンブリ。
【発明の詳細な説明】
【技術分野】
【０００１】
本発明は、熱エネルギーを電気エネルギーに変換するためのシステムに関する。
【背景技術】
【０００２】
電子回路は、それらが動作しているときに熱を生じさせる。この熱は、使用されず、回路を劣化させるのを避けるために排出されなければならない。
【０００３】
この熱を電気エネルギーに変換することができるように回収することが、計画される。
【０００４】
例えば圧電材料を使用して機械的エネルギーを電気エネルギーに変換するためのデバイスがある。
【０００５】
圧電材料は、機械的変形がそれに加えられると電気的に分極されて、電圧を発生させる材料である。
【０００６】
温度の影響下で非常に優れた変形能を提供する構造体もまたある。例えば、バイメタルストリップがある。バイメタルストリップは、その長さ方向に沿って互いに溶接されたまたは接着された、異なる膨張係数を持つ異なる金属または合金の２つの柔軟なストリップから形成される。異なる膨張係数に起因して、バイメタルストリップは、加熱されかつ冷却されると、より大きな振幅で変形する。変形が生じると、バイメタルストリップは、湾曲する。湾曲の向きは、それに加えられる温度に依存する。
【先行技術文献】
【非特許文献】
【０００７】
【非特許文献１】W. Riethmueller、IEEE Trans. Elec. Dev. ED-35、1998年
【非特許文献２】H. Jerman、J. Micromech. Microeng. 4、1994年
【発明の概要】
【発明が解決しようとする課題】
【０００８】
本発明の目的は、簡単な構造を持ち、高回収効率を有する、熱エネルギーを電気エネルギーに変換するためのシステムを提供することである。
【課題を解決するための手段】
【０００９】
上述の目的は、加えられる温度の関数として２つの形態の間で変化する形状を持つ要素、例えばバイメタルストリップを含むシステムの使用を通じて達成される。
【００１０】
このバイメタルストリップは、高温熱源と低温熱源とその感知要素の変形によって振動させられる圧電材料との間に収容されることになり、その圧電材料は、バイメタルストリップと高温熱源と低温熱源との間に挿入されないように配置される。
【００１１】
言い換えれば、圧電材料は、感知要素と高温熱源および低温熱源との間のスペースから外へ移され、その結果圧電材料は、感知要素の変形への温度の影響を減らさず、その変形もまた減らさない。
【００１２】
非常に有利には、圧電材料は、感知要素から直接懸架される。圧電材料はそれ故に、感知要素が加熱されるまたは感知要素が冷却されるときに形態が変化するたびに振動させられる。それ故に、変換される熱エネルギーの量は、増加する。
【００１３】
また非常に有利にも、感知要素は、その形態の少なくとも１つにおいて高温熱源または低温熱源と接触する。
【００１４】
本発明はその結果、互いに面する高温熱源および低温熱源によって区切られるスペースに配置可能である、感知要素と呼ばれる少なくとも１つの温度感知要素であって、前記感知要素が縦軸に沿って延在する、少なくとも１つの温度感知要素と、感知要素と一体になって動き、かつ感知要素から横方向に延在し、かつ自由端を含む少なくとも１つの懸架要素と、少なくとも１つの懸架圧電要素であって、前記圧電要素が、感知要素が形態を変えるときに振動させられるように懸架要素に対して配置され、前記圧電要素が、感知要素と高温熱源との間に画定されるスペースの外側に及び感知要素と低温熱源との間のスペースの外側に位置するように構成される、少なくとも１つの懸架圧電要素と、を含む、熱エネルギーを電気エネルギーに変換するためのシステムである。
【００１５】
例となる一実施形態によると、圧電要素は、感知要素に対して固定された部分から懸架され、懸架要素によって振動させられる。
【００１６】
懸架要素は、感知要素の縦軸の両側に延在してもよい。
【００１７】
感知要素は、その形態の少なくとも１つにおいて高温熱源かまたは低温熱源と接触してもよい。
【００１８】
懸架要素は、感知要素との一体物として作られてもよい。
【００１９】
有利には、システムは、圧電要素から懸架される質量を含んでもよい。
【００２０】
例えば、感知要素は、バイメタルストリップである。
【００２１】
変形として、感知要素は、形状記憶合金でできた要素であってもよい。
【００２２】
システムは、感知要素から横方向にそれぞれ延在する、互いに隣接して配置されるいくつかの懸架要素を含んでもよい。
【００２３】
例えば、変換システムは、エネルギー回収デバイスを形成し、圧電要素は、生じた電気を蓄える手段に電気的に接続される。システムは、振動センサを形成してもよい。
【００２４】
本発明の別の主題は、互いに面する高温熱源および低温熱源ならびに本発明によるエネルギー変換システムを含む、熱エネルギーを電気エネルギーに変換するためのアセンブリであって、前記変換システムが、圧電要素が感知要素と高温熱源との間に画定されるスペースの外側に、および感知要素と低温熱源との間のスペースの外側に位置するよう構成されるように、高温熱源と低温熱源との間に配置される、アセンブリである。例えば、熱は、電子システムによって高温熱源に供給されてもよい。
【００２５】
本発明は、次の説明および図面を読んだ後にはより良く理解されることになる。
【図面の簡単な説明】
【００２６】
【図１Ａ】図式的に示され、高温熱源と低温熱源との間に置かれるシステムの例となる実施形態の透視図である。
【図１Ｂ】図１Ａでのシステムの側面図である。
【図２】図１Ａでのシステムの変形実施形態の斜視図である。
【図３】図１Ａでのシステムの別の変形実施形態の図である。
【図４Ａ】本発明によるシステムの例となる実施形態の透視図である。
【図４Ｂ】本発明によるシステムの例となる実施形態の斜視図である。
【図５】図４Ａおよび図４Ｂでのシステムの変形実施形態の斜視図である。
【図６】図４Ａおよび図４Ｂでのシステムの別の変形実施形態の斜視図である。
【発明を実施するための形態】
【００２７】
図１Ａおよび図１Ｂは、温度に敏感なシステムＳ１の例となる実施形態を示す。
【００２８】
システムＳ１は、互いに面して位置し、それらの間にスペース６を区切る高温熱源ＴＨおよび低温熱源ＴＣを含む。
【００２９】
図示される例では、熱源は、平面によって表されるが、しかし凹面または凸面などの他の形状が、想定される可能性もある。高温熱源は、柔軟な加熱コードまたは体積が温度によって変化する膜によって閉じられた貯蔵容器によって形成されてもよい。
【００３０】
低温熱源については、通気が、想定される可能性もあり、機械的手段がその時、この気流を導くために提供される可能性もある。
【００３１】
システムＳ１は、縦軸Ｘを持つ、下記で感知要素と呼ばれる温度感知要素８、および感知要素８に固定され、縦軸Ｘを横断して延在する要素１０を含む。要素１０は、懸架要素と呼ばれることになる。
【００３２】
感知要素８は、スペース６に収納される。感知要素８は、その面の１つ８．１が低温熱源ＴＣに面し、その反対側の面８．２が高温熱源に面しているように、高温熱源ＴＨと低温熱源ＴＣとの間に置かれる。
【００３３】
図示される例では、要素１０は、片方の縦方向端部１０．１を通じて感知要素の面８．１に固定される平板の形状であり、もう一方の縦方向端部１０．２は、自由である。
【００３４】
システムはまた、懸架要素１０の面上に位置する、下記で圧電要素と呼ばれる圧電材料でできた要素１２も含む。
【００３５】
圧電要素は、デバイスによって生じた電気を回収するために、負荷１４、例えば電池または消費デバイスに電気的に接続される。
【００３６】
本出願での「温度感知要素」は、２つの形状を持ち、温度変化の影響下で形状を変える能力がある要素を指す。
【００３７】
感知要素８は、バイメタルストリップから成ってもよい。前に述べられたように、バイメタルストリップは、異なる膨張係数を持つ異なる金属または合金でできた２つのストリップから形成され、２つのストリップは、モノリシック要素を形成するために溶接または接着によって固定される。それ故に、ストリップの１つが膨張すると、バイメタルストリップは、湾曲することになる。バイメタルストリップが、加熱されると、バイメタルストリップは、第１の形態から第２の形態に変化し、この変化は、「ブリスタリング（blistering）」と呼ばれ、バイメタルストリップが、冷却されると、バイメタルストリップは、その第１の形態に戻り、この変化は、「アンブリスタリング（unblistering）」と呼ばれる。
【００３８】
感知要素８はまた、２つの形状を記憶した形状記憶合金要素から形成されてもよい。
【００３９】
次の説明は、バイメタルストリップおよび形状記憶合金の例を含む。
【００４０】
説明の残り全体にわたって、バイメタルストリップが、「感知要素」と呼ばれることになる。
【００４１】
図１から図５で図式的に示されるように、バイメタルストリップは、湾曲しており、それは、形態を変えるとき、湾曲した状態から反対に湾曲した状態に変化する。
【００４２】
好ましくは、バイメタルストリップは、第１の状態では、その面８．１、８．２の片方が高温熱源または低温熱源に接近して、好ましくはそれと接触し、第２の状態では、その面８．１、８．２のもう一方が低温熱源または高温熱源に接近して、好ましくはそれと接触するように、サイズを設定され、スペース６に設置される。それ故に、高温熱源および低温熱源とバイメタルストリップとの間の伝達は、直接的であり、バイメタルストリップへの高温熱源および低温熱源の影響は、改善され、それ故にバイメタルストリップの変形の周波数は、最適化される。最大の湾曲を持つバイメタルストリップの中央ゾーンは、熱源と接触することができる。
【００４３】
好ましくは、バイメタルストリップは、それが形態を変えるとき、熱源と接触する衝突によって引き起こされる減衰に起因するその変形の低減が、圧電要素に伝達されるエネルギー量を低減するのを避けるために最小限にされるように、サイズを設定される。
【００４４】
今からシステムＳ１の動作を説明する。
【００４５】
バイメタルストリップ８は、それが静止状態にあるときは、高温熱源ＴＨと接触していると仮定する。
【００４６】
バイメタルストリップ８は、加熱され、ストリップを構成する材料は、異なる膨張係数に起因して、片方がもう一方よりも大きく膨張し、特定の膨張しきいを超えると、バイメタルストリップの湾曲は、反転し、バイメタルストリップは、低温熱源と接触する。バイメタルストリップの形態のこの変化は、懸架要素１０、その結果圧電要素の振動を引き起こす。圧電要素は、分極され、負荷１４によって回収されることになる電圧を発生させる。振動は、もし形態変化が突然であれば特に活発である。このことは、変形時に出力される力の値に対応する。例えば、この力は、力センサによって測定されてもよい。力の値は、応用に応じて、しきい値を超えなければならないこともある。
【００４７】
今では低温熱源と接触しているバイメタルストリップは冷えて、その２つのストリップは収縮し、そのことは、湾曲の新たな反転を引き起こす。形態のこの新たな変化は、懸架要素１０および電圧を発生させる圧電要素の振動をもう一度開始する。
【００４８】
この例は、バイメタルストリップの形態が変化するたびに圧電要素の振動を起動することを可能にし、そのことが、生じる電気の量を最適化するので、特に有利である。
【００４９】
図示される例では、また有利にも、懸架要素は、最大の可能な変位振幅を受けるように、バイメタルストリップの中央部に固定される。従って、懸架要素の振動は、最大化される。
【００５０】
懸架要素は、その中央部から離れてバイメタルストリップに固定されてもよい。
【００５１】
有利には、圧電要素は、懸架要素の自由端に位置することが、計画されてもよい。
【００５２】
図２は、圧電要素１２が懸架要素１０の１つの面を完全に覆うシステムＳ２を示す。圧電要素の面積が増加するにつれて、潜在的に生じる電気の量もまた、増加することに留意されたい。変形として、懸架要素の２つの面が、圧電要素１２によって覆われてもよい。
【００５３】
図３は、懸架要素１０が圧電材料から直接作られるシステムＳ３を示す。圧電要素は、より大きな体積を有し、特にそれは、システムの寸法または質量を増加させることなく、図２での要素よりも厚い。電圧応答および回収されるエネルギーの量は、圧電材料の厚さに依存するので、このことは、特に有用である。
【００５４】
例えば、圧電要素は、接着によってバイメタルストリップに固定されてもよい。
【００５５】
図４Ａ、図４Ｂ、図５および図６は、圧電要素１２が懸架要素１０によって直接支持されない、本発明によるシステムの例となる実施形態を示す。高温熱源および低温熱源は、図示されない。
【００５６】
図４Ａおよび図４Ｂでは、システムＳ４は、支持物１６から縦方向端部によって懸架される圧電要素１２を含み、バイメタルストリップ８がその形態の片方からその形態のもう一方に変化するときに、その反対側の縦方向端部が懸架要素１０によって負荷を与えられて動くように、配向される。圧電要素１２は、懸架要素１０の上方または下方に位置する。圧電要素１２および支持物１６は、バイメタルストリップ８と高温熱源ＴＨとの間に画定されるスペースの外側にかつバイメタルストリップ８と低温熱源ＴＣとの間のスペースの外側に位置する。圧電要素１２は、デバイスによって生じる電気を回収するために、負荷１４、例えば電池または消費デバイスに電気的に接続される。
【００５７】
より一般的には、システムは、圧電要素がバイメタルストリップの形態の変化中にバイメタルストリップによって負荷を与えられるように、支持物に固定されかつバイメタルストリップの軌跡上に位置する圧電要素を含む。
【００５８】
このシステムの動作は、図１で示されるシステムの動作に似ている。
【００５９】
この構成を使うと、圧電要素１２は、高温ゾーンおよび低温ゾーンと干渉しない。圧電要素１２は、高温熱源と低温熱源との間のスペースの外側のある距離にあるので、高温ゾーンおよび低温ゾーンとの接触はない。その上、圧電要素は、バイメタルストリップの周囲での熱平衡に関与しない。このことは、高温ゾーンおよび低温ゾーンとのバイメタルストリップのより良好な接触を提供する効果を有し、そのことは、振動数を増加させる。
【００６０】
その上、圧電要素は、バイメタルストリップと関連する懸架要素１０の衝突（shock）を受け、それ故に圧電要素への懸架要素の衝突に起因するエネルギーは、振動エネルギーへの追加となる。従って、回収されるエネルギーの量は、増加する。
【００６１】
この回収デバイスはまた、伝熱現象をもはや考慮する必要がないので、圧電要素を形成する材料の選択においてより多くの自由を可能にする。
【００６２】
その上、圧電要素は、バイメタルストリップに固定されないので、バイメタルストリップの湾曲は、その周波数が、圧電要素との干渉のない最適周波数と一致できるように調整することができる。
【００６３】
図５は、懸架要素１０が、バイメタルストリップ８の縦軸Ｘの両側に延在する、図４で示されるシステムＳ４の変形Ｓ５を示す。本システムは、縦軸に関して対称的に支持物から懸架され、懸架要素の２つの自由端によって振動させられてもよい２つの圧電要素を含む。生じるエネルギーの量はその結果、図４でのシステムの２倍の大きさとすることができる。
【００６４】
図６は、システムＳ６が、バイメタルストリップ８に沿って横方向に延在して、くし状部を形成する複数の懸架要素１１０を含む、別の変形実施形態を示す。各懸架要素１１０はその時、１つまたはいくつかの圧電要素（図示されず）に負荷を与えるように設計される。生じるエネルギーの量はその結果、増加させることができる。１つの圧電要素がいくつかの懸架要素によって負荷を与えられることもまた可能であることになる。
【００６５】
この変形実施形態は、懸架要素が、それぞれの寸法および／または幾何学的形状を選択することによって異なる温度に反応するシステムを作るために使用されてもよい。例えば、より広い周波数範囲が、負荷を圧電要素に加える懸架要素に圧電要素を適合させることによってカバーされる可能性もある。
【００６６】
図４から図６での実施形態によるいくつかのシステムを関連付けることがまた、有利となることもあり、それぞれは、所与の温度で反応するように適合される。例えば、すべてのシステムは、同じ温度で反応しまたはそれらは、異なる温度で反応し、後者の場合には、システムは、拡張温度範囲内で機能し、もし高温熱源および／または低温熱源の温度が変化するならば有利に使用されてもよい。
【００６７】
別の変形では、図４から図６でのいくつかのシステムは、システムの１つでのバイメタルストリップのブリスタリングまたはアンブリスタリングが、反応によって隣接システムでのバイメタルストリップのブリスタリングを引き起こすように機械的に関連付けられてもよい。
【００６８】
これらの変形実施形態は、性能を改善することができる。
【００６９】
バイメタルストリップを横断しかつバイメタルストリップの両側に延在する懸架要素、およびバイメタルストリップの両側に懸架された要素の面の１つの上に固定された２つの圧電要素を含む、図５でのシステムに似たシステムが、作られてもよい。このシステムは、同時に振動させられる２つの圧電要素を含むので、２倍の大きさの電気を生じるという点で図１Ａでのシステムに優る利点を有する。
【００７０】
懸架要素は、必ずしも縦軸と直交せず、懸架要素が縦軸からある角度を形成すると、想定することも可能となる。懸架要素が、感知要素の平面内に延在しないということもまた、可能となる。
【００７１】
有利には、懸架要素は、感知要素との一体物で作られ、そのことは、製造を簡略化し、圧電要素を作動させるためのエネルギー損失を低減する。
【００７２】
質量が、その共振を容易にするために圧電要素の自由端に設けられてもよい。
【００７３】
変形として、懸架要素および／または圧電要素は、圧電要素の共振を改善し、それ故に回収されるエネルギーを増加させるために、その形状、質量、厚さ、トポグラフィ、対称性の変化を有してもよい。
【００７４】
高温熱源および低温熱源によって区切られるスペースにいくつかのシステムを置くこともまた、可能となる。
【００７５】
変換システムが、２つの熱源の間で区切られたスペース内に完全に含まれるように、高温熱源および低温熱源の表面を十分に大きくすると想定することが、可能となる。本システムは、圧電要素および／または懸架要素と熱源との間に機械的相互作用がないように構成される。
【００７６】
本システムは、例えば数ｃｍ２の程度の面積を持つ、巨視的寸法を有してもよい。
【００７７】
この場合には、バイメタルストリップは例えば、ＩＮＶＡＲ（登録商標）などの、異なる組成を持つＦｅ−Ｎｉ合金でできていてもよい。これらの合金はまた、追加されることもあるクロムおよび／またはマンガンを含有してもよく、そのことは、それらの膨張係数を増加させる。
【００７８】
圧電要素は、ＰＺＴ（チタン酸ジルコン酸鉛）に基づいて形成されてもよくまたは形成されなくてもよい。ペロブスカイト構造を持つ強誘電材料が、使用されてもよく、例えば、チタン酸鉛ＰｂＴｉＯ３、チタン酸バリウムＢａＴｉＯ３、ニオブ酸カリウムＫＮｂＯ３、ウルツ鉱型構造を持つＩＩＩ−Ｖ族の半導体または例えばポリフッ化ビニリデン（ＰＶＤＦ）（−ＣＨ２−ＣＦ２）ｎおよびその誘導体などの合成高分子である。
【００７９】
本発明によるシステムの寸法はまた、マイクロメートル（micrometric）であってもよい。バイメタルストリップは、シリコンおよび金属、例えばアルミニウムに基づく薄層技術を使用して作られてもよい。そのようなバイメタルストリップは、非特許文献１および非特許文献２による論文で述べられている。各層の厚さはその時、例えば約１０マイクロメートルの程度であってもよい。Ｓｉ−Ａｌ、ＳｉＯ２−Ａｌ、Ｓｉ−Ａｕ、ＳｉＯ２−Ａｕ、Ｓｉ−Ｐｂ．．．などの会合体が、使用されてもよい。
【００８０】
圧電要素は、ＺｎＯまたはＡｌＮを使って微視的スケールで形成されてもよい。
【００８１】
形状記憶合金でできた感知要素は例えば、ＣｕＺｎ、ＣｕＺｎＡｌ、ＣｕＮｉＡｌ、ＡｕＣｄ、ＦｅＰｔから作られてもよい。材料の選択および化学量論組成（stoichiometry）は、高温熱源および低温熱源によって規定される動作温度範囲の関数としてなされる。
【００８２】
例えば、バイメタルストリップの面積は、数ｍｍ２から数十ｃｍ２まで変化してもよく、厚さは、数十μｍから数百μｍまでであり、形状記憶合金でできた感知要素についても同様である。好ましくは、バイメタルストリップは、その体積が小さく、かつその温度がすぐに高温熱源または低温熱源の温度と同じになるように薄く、一方では、その変形を圧電要素に伝達できるように十分な変形振幅を維持する。
【００８３】
例えば、そのようなシステムは、数十μＷを生じさせることができる。
【００８４】
バイメタルストリップのブリスタリングおよびアンブリスタリングを引き起こす２つの遷移温度が、非常に近く、その結果バイメタルストリップが、高周波数を有することになり、それ故に圧電要素を高周波数で振動させることができるように、バイメタルストリップが、選択され、より具体的にはストリップを作るために使用される材料が、選択される。
【００８５】
好ましくは、その形態のそれぞれにおけるバイメタルストリップは、熱源の１つに非常に近く、好ましくは、バイメタルストリップは、熱源と直接接触し、その結果その温度はすぐに、それが接触する熱源の温度に等しくなる。
【００８６】
それ故に、バイメタルストリップは、熱源の１つの温度に非常に効率良く達するので、バイメタルストリップの周波数の損失がない。その上、圧電要素の振幅は、例えば圧電要素が低温熱源上にあるシステムの振幅以上である。
【００８７】
巨視的システムについての例として、バイメタルストリップの寸法は、３．５ｃｍの長さ、２ｃｍの幅および１４０μｍの厚さであってもよく、バイメタルストリップの遷移温度は、１２０℃および１０５℃に等しい。圧電要素は、５．４ｃｍの長さ、１．３ｃｍの幅および２００μｍの厚さであってもよい。高温熱源と低温熱源との間の距離は、例えば７００μｍである。
【００８８】
本発明を使うと、熱エネルギーは、機械的エネルギーを介して電気エネルギーに変換される。電気エネルギーは、負荷に電力を供給するためのエネルギー源として使用されてもよく、それ故にエネルギー回収システムを形成する。
【００８９】
エネルギー回収システムはまた、付加的情報を伝達するために使用されてもよく、例えば本システムは、振動センサとして使用されてもよく、それは、警報、試験、その他などの行動に結び付けられてもよい。
【００９０】
バイメタルストリップから熱を吸収する能力がある熱容量を持つ圧電材料を選択することもまた、圧電材料がバイメタルストリップと接触するので、興味深いことである。このことはそれ故に、バイメタルストリップの熱調節に役立ち、その結果その動作周波数を最適化するこができる。
【符号の説明】
【００９１】
６  スペース
８  感知要素、バイメタルストリップ
８．１  感知要素の面
８．２  感知要素の面
１０  懸架要素
１０．１  縦方向端部
１０．２  縦方向端部
１２  圧電要素
１４  負荷
１６  支持物
１１０  懸架要素
Ｓ１  システム
Ｓ２  システム
Ｓ３  システム
Ｓ４  システム
Ｓ５  システムの変形
Ｓ６  システム
ＴＨ  高温熱源
ＴＣ  低温熱源
【図１Ａ】
0005969022.tif 000002
【図１Ｂ】
0005969022.tif 000003
【図２】
0005969022.tif 000004
【図３】
0005969022.tif 000005
【図４Ａ】
0005969022.tif 000006
【図４Ｂ】
0005969022.tif 000007
【図５】
0005969022.tif 000008
【図６】
0005969022.tif 000009